(57)【要約】【課題】観察者の意に反した急激な光量の増加を防止することができる顕微鏡システムを提供する。【解決手段】顕微鏡システム１は、光源部１０７ａと、透過照明光学系と、標本ＳＰを透過した光を観察する接眼レンズ１１２を有する観察光学系と、光源部１０７ａの調光値を設定する調光値設定部１１４と、光源部１０７ａの所定調光値を記憶する所定調光値記憶部１１６ａと、調光値設定部１１４で設定された設定調光値と、所定調光値記憶部１１６ａに記憶された所定調光値とのいずれかを選択する調光値選択部１１６と、調光値選択部１１６が選択した調光値に光源部１０７ａの光量を制御する照明制御部１１５と、を備えることを特徴とする。【選択図】図１
2018197807.tif 000002
【特許請求の範囲】
【請求項１】
標本を照明するための照明光を発光するＬＥＤ光源と、
前記ＬＥＤ光源が発光した照明光を標本に照射する透過照明光学系と、
前記標本を透過した光を観察する接眼レンズを有する観察光学系と、
前記ＬＥＤ光源の調光値を設定する調光値設定部と、
前記ＬＥＤ光源の所定調光値を記憶する所定調光値記憶部と、
前記調光値設定部で設定された設定調光値と、前記所定調光値記憶部に記憶された所定調光値とのいずれかを選択する調光値選択部と、
前記調光値選択部が選択した調光値に前記ＬＥＤ光源の光量を制御する照明制御部と、
を備えることを特徴とする顕微鏡システム。
【請求項２】
前記設定調光値が前記所定調光値より大きい場合、前記調光値選択部は前記所定調光値を選択することを特徴とする請求項１に記載の顕微鏡システム。
【請求項３】
前記調光値設定部は可変抵抗器からなり、前記可変抵抗器の抵抗値の設定により前記ＬＥＤ光源の調光値の設定を行うことを特徴とする請求項１または２に記載の顕微鏡システム。
【請求項４】
前記調光値選択部の選択により前記所定調光値が選択され、前記ＬＥＤ光源の光量が前記所定調光値に調光された状態で、前記調光値設定部により設定された設定調光値が前記所定調光値より小さくなった場合、
前記調光値選択部は前記設定調光値を選択し、前記ＬＥＤ光源の光量を前記設定調光値に調光することを特徴とする請求項３に記載の顕微鏡システム。
【請求項５】
前記接眼レンズで観察する光の光量に変化を与える光学素子と、
前記光学素子の挿脱状態を検出する光学素子検出部と、
を備え、
前記所定調光値記憶部は、前記光学素子の挿脱状態に応じて異なる所定調光値を記憶し、
前記調光値選択部は、前記所定調光値記憶部から取得した前記光学素子の挿脱状態に応じた所定調光値と、前記設定調光値とのいずれかを選択することを特徴とする請求項１〜３のいずれか一つに記載の顕微鏡システム。
【請求項６】
前記光学素子は、複数の異なる対物レンズであり、
前記光学素子検出部は、光路上にレボルバにより選択的に配置された対物レンズを検出し、
前記所定調光値記憶部は、複数の異なる前記対物レンズに応じた所定調光値を記憶し、
前記調光値選択部は、前記所定調光値記憶部から取得した光路上に配置された前記対物レンズに応じた所定調光値と、前記設定調光値とのいずれかを選択することを特徴とする請求項４に記載の顕微鏡システム。
【請求項７】
前記光学素子は、切り替え可能な複数の検鏡方法用の光学素子であり、
前記光学素子検出部は、光路上に配置された前記光学素子を検出し、
前記所定調光値記憶部は、光路上に配置された前記光学素子の配置パターンに応じた所定調光値を記憶し、
前記調光値選択部は、前記所定調光値記憶部から取得した前記光学素子の配置パターンに応じた所定調光値と、前記設定調光値とのいずれかを選択することを特徴とする請求項４に記載の顕微鏡システム。
【請求項８】
前記光学素子は、複数人が同時観察可能な光路分割素子およびリレー光学系を有する鏡筒であり、
前記光学素子検出部は、光路上に配置された前記鏡筒の数を検出し、
前記所定調光値記憶部は、前記鏡筒の数に応じた所定調光値を記憶し、
前記調光値選択部は、前記所定調光値記憶部から取得した前記鏡筒の数に応じた所定調光値と、前記設定調光値とのいずれかを選択することを特徴とする請求項４に記載の顕微鏡システム。
【請求項９】
前記照明制御部は、前記顕微鏡システムの電源投入の際に、前記調光値選択部の選択した調光値に調光することを特徴とする請求項１〜８のいずれか一つに記載の顕微鏡システム。
【請求項１０】
前記照明制御部は、前記光学素子検出部が前記光学素子の挿脱を検出した際に、前記調光値選択部の選択した調光値に調光することを特徴とする請求項５〜８のいずれか一つに記載の顕微鏡システム。
【発明の詳細な説明】
【技術分野】
【０００１】
本発明は、ステージ上に載置された標本を観察する顕微鏡システムに関する。
【背景技術】
【０００２】
従来、顕微鏡システムにおいては、ハロゲンランプを光源として標本に照明光を照射していた。しかしながら、ハロゲンランプは、調光によって色温度が変化するため、視野の色が変わってしまうという問題点があった。このため、近年では、調光によって色温度がほとんど変化しないＬＥＤ（Light  Emitting  Diode）を光源として標本に照明光を照射する技術が知られている（特許文献１参照）。この技術では、標本を観察する観察光路の状態と調光値設定部から入力された調光信号とに基づいて、ＬＥＤの光量を自動的に調光することにより、観察時の操作性の向上を図っている。
【先行技術文献】
【特許文献】
【０００３】
【特許文献１】特開２００５−２５０１５１号公報
【発明の概要】
【発明が解決しようとする課題】
【０００４】
特許文献１ではＬＥＤ光源を使用するため、調光値設定部で設定された調光値に瞬時に切り替え可能である。しかしながら、電源投入時に調光値が必要以上に大きく設定されている場合等に、瞬時に大きな光量がＬＥＤ光源から照射されるため、観察者が接眼レンズから目を離す回避行動や対光反射に要する時間的な余裕がなく、観察者の意に反して大きな光量が観察者の目に入射してしまい、眩しさにより目が疲れてしまう。
【０００５】
本発明は、上記に鑑みてなされたものであって、観察者の意に反した急激な光量の増加を防止することができる顕微鏡システムを提供することを目的とする。
【課題を解決するための手段】
【０００６】
上述した課題を解決し、目的を達成するために、本発明に係る顕微鏡システムは、標本を照明するための照明光を発光するＬＥＤ光源と、前記ＬＥＤ光源が発光した照明光を標本に照射する透過照明光学系と、前記標本を透過した光を観察する接眼レンズを有する観察光学系と、前記ＬＥＤ光源の調光値を設定する調光値設定部と、前記ＬＥＤ光源の所定調光値を記憶する所定調光値記憶部と、前記調光値設定部で設定された設定調光値と、前記所定調光値記憶部に記憶された所定調光値とのいずれかを選択する調光値選択部と、前記調光値選択部が選択した調光値に前記ＬＥＤ光源の光量を制御する照明制御部と、を備えることを特徴とする。
【０００７】
また、本発明に係る顕微鏡システムは、上記発明において、前記設定調光値が前記所定調光値より大きい場合、前記調光値選択部は前記所定調光値を選択することを特徴とする。
【０００８】
また、本発明に係る顕微鏡システムは、上記発明において、前記調光値設定部は可変抵抗器からなり、前記可変抵抗器の抵抗値の設定により前記ＬＥＤ光源の調光値の設定を行うことを特徴とする。
【０００９】
また、本発明に係る顕微鏡システムは、上記発明において、前記調光値選択部の選択により前記所定調光値が選択され、前記ＬＥＤ光源の光量が前記所定調光値に調光された状態で、前記調光値設定部により設定された設定調光値が前記所定調光値より小さくなった場合、前記調光値選択部は前記設定調光値を選択し、前記ＬＥＤ光源の光量を前記設定調光値に調光することを特徴とする。
【００１０】
また、本発明に係る顕微鏡システムは、上記発明において、前記接眼レンズで観察する光の光量に変化を与える光学素子と、前記光学素子の挿脱状態を検出する光学素子検出部と、を備え、前記所定調光値記憶部は、前記光学素子の挿脱状態に応じて異なる所定調光値を記憶し、前記調光値選択部は、前記所定調光値記憶部から取得した前記光学素子の挿脱状態に応じた所定調光値と、前記設定調光値とのいずれかを選択することを特徴とする。
【００１１】
また、本発明に係る顕微鏡システムは、上記発明において、前記光学素子は、複数の異なる対物レンズであり、前記光学素子検出部は、光路上にレボルバにより選択的に配置された対物レンズを検出するセンサであり、前記所定調光値記憶部は、複数の異なる前記対物レンズに応じた所定調光値を記憶し、前記調光値選択部は、前記所定調光値記憶部から取得した光路上に配置された前記対物レンズに応じた所定調光値と、前記設定調光値とのいずれかを選択することを特徴とする。
【００１２】
また、本発明に係る顕微鏡システムは、上記発明において、前記光学素子は、切り替え可能な複数の検鏡方法用の光学素子であり、前記光学素子検出部は、光路上に配置された前記光学素子を検出するセンサであり、前記所定調光値記憶部は、光路上に配置された前記光学素子の配置パターンに応じた所定調光値を記憶し、前記調光値選択部は、前記所定調光値記憶部から取得した前記光学素子の配置パターンに応じた所定調光値と、前記設定調光値とのいずれかを選択することを特徴とする。
【００１３】
また、本発明に係る顕微鏡システムは、上記発明において、前記光学素子は、複数人が同時観察可能な光路分割素子およびリレー光学系を有する鏡筒であり、前記光学素子検出部は、光路上に配置された前記鏡筒の数を検出し、前記所定調光値記憶部は、前記鏡筒の数に応じた所定調光値を記憶し、前記調光値選択部は、前記所定調光値記憶部から取得した前記鏡筒の数に応じた所定調光値と、前記設定調光値とのいずれかを選択することを特徴とする。
【００１４】
また、本発明に係る顕微鏡システムは、上記発明において、前記照明制御部は、前記顕微鏡システムの電源投入の際に、前記調光値選択部の選択した調光値に調光することを特徴とする。
【００１５】
また、本発明に係る顕微鏡システムは、上記発明において、前記照明制御部は、前記光学素子検出部が前記光学素子の挿脱を検出した際に、前記調光値選択部の選択した調光値に調光することを特徴とする。
【発明の効果】
【００１６】
本発明に係る顕微鏡システムによれば、観察者の意に反した急激な光量の増加を防止することができ、観察者の目の疲れを低減することができる。
【図面の簡単な説明】
【００１７】
【図１】図１は、本発明の実施の形態１に係る顕微鏡システムの概略構成を示す模式図である。
【図２】図２は、本発明の実施の形態１に係る調光値設定部を示す図である。
【図３】図３は、調光値設定部の他の形態を示す図である。
【図４】図４は、本発明の実施の形態１に係る顕微鏡システムにおける光源部の制御を説明するフローチャートである。
【図５】図５は、本発明の実施の形態２に係る顕微鏡システムの概略構成を示す模式図である。
【図６】図６は、本発明の実施の形態２に係る調光値設定部を示す図である。
【図７】図７は、本発明の実施の形態２に係る顕微鏡システムにおける光源部の制御を説明するフローチャートである。
【図８】図８は、本発明の実施の形態３に係る顕微鏡システムの概略構成を示す模式図である。
【図９】図９は、本発明の実施の形態３に係るレボルバに装着される対物レンズを示した図である。
【図１０】図１０は、本発明の実施の形態３に係るターレットを説明する図である。
【図１１】図１１は、本発明の実施の形態３に係る検鏡方法と使用する光学素子との関係を説明する図である。
【図１２】図１２は、本発明の実施の形態３に係る光学素子の配置パターンに応じた所定調光値テーブルの一例を示す図である。
【図１３】図１３は、本発明の実施の形態３に係る顕微鏡システムにおける光源部の制御を説明するフローチャートである。
【図１４】図１４は、本発明の実施の形態４に係る調光値設定部を示す図である。
【図１５】図１５は、本発明の実施の形態４に係る顕微鏡システムにおけるＬＥＤ照明部の制御を説明するフローチャートである。
【発明を実施するための形態】
【００１８】
以下、本発明を実施するための形態を図面とともに詳細に説明する。なお、以下の実施の形態により本発明が限定されるものではない。また、以下の説明において参照する各図は、本発明の内容を理解でき得る程度に形状、大きさ、および位置関係を概略的に示してあるに過ぎない。すなわち、本発明は、各図で例示された形状、大きさおよび位置関係のみに限定されるものではない。
【００１９】
（実施の形態１）
図１は、本実施の形態に係る顕微鏡システム１の概略構成を示す模式図である。図１に示す顕微鏡システム１は、机上に載置されたフレーム部１０１と、標本ＳＰが載置されるステージ１０２と、ステージ１０２を垂直方向（上下方向）へ移動可能に保持する保持台１０３と、フレーム部１０１の内部に設けられた図示しないラックやピニオン等の機構を介して保持台１０３と接続され、保持台１０３を介してステージ１０２を垂直方向へ移動させる回転焦準部１０４と、フレーム部１０１に設けられ、標本ＳＰ上に配置する互いに倍率が異なる複数の対物レンズ１０５を選択的に光路Ｌ上に配置するレボルバ１０６と、フレーム部１０１に対して着脱可能に取り付けられ、ＬＥＤ光源で構成され、標本ＳＰを照射する照明光を投射する光源部１０７ａが設けられたランプハウス１０７と、光源部１０７ａから照射された照明光を図示しない照明光学系によって平行光に変換し、この平行光に変換された照明光を標本ＳＰに向けて反射するミラー１０８と、ミラー１０８から反射された照明光を標本ＳＰに照射するコンデンサレンズ１０９と、フレーム部１０１のアーム部１１０の上面に固定され、対物レンズ１０５を介して入射された標本ＳＰの観察像をミラー１１１ａに反射し、内部に設けられた図示しない結像レンズ等によって結像する鏡筒１１１と、鏡筒１１１に取り付けられ、接眼レンズ１１２によって標本ＳＰの観察像を拡大して観察する双眼部１１３と、標本ＳＰに照射する調光値を設定する調光値設定部１１４と、光源部１０７ａに通信可能に接続され、調光値設定部１１４から入力された調光信号に応じて光源部１０７ａの明るさを制御する照明制御部１１５と、光源部１０７ａの所定調光値を記憶する所定調光値記憶部１１６ａを有し、調光値設定部１１４で設定された設定調光値と、所定調光値記憶部１１６ａに記憶された所定調光値のいずれかを選択する調光値選択部１１６と、を備える。なお、本実施の形態１では、ランプハウス１０７、ミラー１０８、およびコンデンサレンズ１０９により透過照明光学系が構成され、対物レンズ１０５、ミラー１１１ａ、および接眼レンズ１１２により観察光学系が構成されている。
【００２０】
図２は、調光値設定部１１４を示す図である。調光値設定部１１４は、回転式の可変抵抗器からなる調光ボリューム１１４ａを有する。調光ボリューム１１４ａには、調光値を示す調光量指示位置１１４ｂが設けられ、観察者は、調光ボリュ−ム１１４ａを回転させて、所望の調光値となる位置に調光量指示位置１１４ｂを合わせることにより、調光値を設定する。可変抵抗の摺動子接点が調光量指示位置１１４ｂとなる。また、調光ボリューム１１４ａの周囲には、調光ボリューム１１４ａの回転可能な範囲を示す目盛１１４ｃが形成され、目盛１１４ｃ中に所定調光値１１４ｄが明示されている。観察者により調光ボリューム１１４ａが操作されると、調光量指示位置１１４ｂに関する調光信号が調光値設定部１１４から照明制御部１１５に通知され、照明制御部１１５は調光指示位置１１４ｂに対応した調光値に光源部１０７ａを調光する。
【００２１】
調光値設定部１１４は、図２に示す回転式に加え、スライド式を使用することもできる。図３は、調光値設定部１１４の他の形態を示す図である。図３に示す調光値設定部１１４’はスライド抵抗からなり、目盛１１４ｃ上に配置されるスライダ１１４ｅを移動させて調光値を設定する。スライダ１１４ｅが調光指示位置を示す。
【００２２】
所定調光値記憶部１１６ａは、所定調光値を記憶する。所定調光値は、照明制御部１１５による光源部１０７ａの制御により瞬時に光量が調光された場合でも観察者が眩しさを感じず、回避行動を不要とする光量に設定されている。例えば、調光値（抵抗）のＭＡＸ値に対し、１／２０以下の調光値に設定されている。調光値選択部１１６は、防眩制御が有効に設定されている場合、調光値設定部１１４で設定された設定調光値と、所定調光値記憶部１１６ａに記憶された所定調光値のいずれかを選択する。照明制御部１１５は、調光値選択部１１６が選択した調光値に光源部１０７ａを調光する。
【００２３】
次に、図４を参照して、本発明の実施の形態１に係る顕微鏡システム１における光源部１０７ａの制御について説明する。図４は、本発明の実施の形態１に係る顕微鏡システム１における光源部１０７ａの制御を説明するフローチャートである。
【００２４】
顕微鏡システム１の電源が入力されると、防眩制御を有効に設定し（ステップＳ１０１）、所定調光値を初期値に設定する（ステップＳ１０２）。ここで、所定調光値の初期値は、所定調光値記憶部１０６ａに記憶される調光値である。
【００２５】
ついで、設定調光値を初期値に設定し（ステップＳ１０３）、調光値設定部１１４の調光指示位置１１４ｂを読み出す（ステップＳ１０４）。ステップＳ１０３で設定する設定調光値は、電源投入後の後述するステップＳ１０５において、設定調光値が必ず変化するように設定する。
【００２６】
調光値選択部１１６は、ステップＳ１０４で読み出した調光指示位置１１４ｂに対応する設定調光値が変化したか、否かを判定する（ステップＳ１０５）。ステップＳ１０３で設定する設定調光値の初期値は、調光値設定部１１４で設定されない範囲の値とし、電源投入後のステップＳ１０５では、設定調光値が必ず変化するように設定する（ステップＳ１０５：Ｙｅｓ）。
【００２７】
設定調光値が変化した場合（ステップＳ１０５：Ｙｅｓ）、調光値選択部１１６は防眩制御が有効か否かを判定し（ステップＳ１０６）、有効である場合は（ステップＳ１０６：Ｙｅｓ）、設定調光値が所定調光値より大きいか否かを判定する（ステップＳ１０７）。設定調光値が変化していない場合は（ステップＳ１０５：Ｎｏ）、ステップＳ１０９で、観察が終了したか否かを判定する。防眩制御が無効である場合は（ステップＳ１０６：Ｎｏ）、照明制御部１１５は設定調光値に光源部１０７ａを調光する（ステップＳ１１１）。
【００２８】
設定調光値が所定調光値より大きい場合（ステップＳ１０７：Ｙｅｓ）、例えば、図２および図３の矢印で示すように、調光値指示位置１１４ｂが所定調光値１１４ｄからＭａｘの間を指す場合、調光値選択部１１６は所定調光値を選択し、照明制御部１１５は調光値選択部１１６が選択した所定調光値に光源部１０７ａを調光する（ステップＳ１０８）。設定調光値が所定調光値以下である場合（ステップＳ１０７：Ｎｏ）、防眩制御を無効に設定し（ステップＳ１１０）、照明制御部１１５は調光値選択部１１６が選択した設定調光値に光源部１０７ａを調光する（ステップＳ１１１）。その後、調光値選択部１１６は観察が終了したか否かを判定し（ステップＳ１０９）、観察が終了していない場合は（ステップＳ１０９：Ｎｏ）、ステップＳ１０４から繰り返す。
【００２９】
本発明の実施の形態１では、調光ボリューム１１４ａを回転して、一旦調光量指示位置１１４ｂが所定調光値１１４ｄ以下となると、調光値設定部１１６は設定調光値が所定調光値以下と判定して、防眩制御が無効とされ、所定調光値より大きい設定調光値への調光が可能となる。本発明の実施の形態１では、顕微鏡システム１の電源入力の際には、防眩制御を有効としているため、観察者の意に反した大きな光量が光源部１０７ａから照射されることがなく、大きな光量の入射による目の疲れを抑制することができる。
【００３０】
また、上記の実施の形態１では、所定調光値は予め設定された値が使用されているが、観察者が任意に設定するようにしてもよい。さらに、調光値設定部１１４内にクリック機構や押しボタンで防眩制御を解除するリミッタ等を設けてもよい。クリック機構を設けることで調光量指示位置１１４ｂを所定調光値１１４ｄ以下に戻す動作が必要であることを認識できる。また、リミッタを設けることにより、調光量指示位置１１４ｂを所定調光値１１４ｄ以下に戻す動作が不要となる。
【００３１】
さらに、顕微鏡システム１が、パーソナルコンピュータやモニタを備え、接眼レンズ１１２での観察に加えモニタでの観察を可能とするとともに、パーソナルコンピュータで光源部１０７ａの調光を制御可能とするシステムにおいて、調光値設定部１１４の操作により照明制御部１１５に光源部１０７ａの調光の制御が切り替えられる際にも、調光値選択部１１６により調光値の選択を行わせることにより、モニタから接眼レンズ１１２に観察を切り替える際の観察者が眩しいと感じ得る、意図しない大きな光量の照射を防止することができる。
【００３２】
（実施の形態２）
実施の形態２の顕微鏡システム１Ａは、ライトマネージャー機能を有する。図５は、本発明の実施の形態２に係る顕微鏡システム１Ａの概略構成を示す模式図である。図６は、本発明の実施の形態２に係る調光値設定部１１４Ａを示す図である。以下の実施の形態２の説明では、実施の形態１と異なる部分についてのみ説明する。
【００３３】
ライトマネージャー機能は、レボルバ１０６により光路Ｌ上に選択的に配置された対物レンズ１０５の穴番号をレボルバ位置検出部１０６ａにより検出し、予めメモリに記憶された穴番号に対応する対物レンズ１０５に最適な調光値を取得して、照明光の光量を調光する再生モードと、観察者が調光値設定部１１４Ａを介して光源部１０７ａの調光を行う記録モードとを有している。
【００３４】
図６に示すように、調光値設定部１１４Ａは、調光ボリューム１１４ａと、切替ボタン１１４ｆとを有する。切替ボタン１１４ｆの押圧により再生モードと記録モードとの切替を行う。切替ボタン１１４ｆが押圧されると、調光値設定部１１４Ａから照明制御部１１５Ａに再生モードのオン／オフ信号が通知される。
【００３５】
図７は、本発明の実施の形態２に係る顕微鏡システム１Ａにおける光源部１０７ａの制御を説明するフローチャートである。
【００３６】
顕微鏡システム１Ａの電源が入力されると、実施の形態１と同様に、防眩制御を有効に設定し（ステップＳ２０１）、所定調光値を初期値に設定する（ステップＳ２０２）。所定調光値の初期値は、最も倍率の低い対物レンズ１０５の調光値として記憶される調光値等が採用される。
【００３７】
ついで、ライトマネージャーモード、レボルバ位置、および設定調光値を初期値に設定する（ステップＳ２０３）。ステップＳ２０３で設定するライトマネージャーモード、レボルバ位置、および設定調光値は、電源投入後の後述するステップＳ２０５、ステップＳ２１１およびステップＳ２１２において、ライトマネージャーモード、レボルバ位置、および設定調光値が必ず変化するように設定する。
【００３８】
初期設定後、ライトマネージャーモード、レボルバ位置、および設定調光値を調光値設定部１１４Ａおよびレボルバ位置検出部１０６ａから読み出す（ステップＳ２０４）。
【００３９】
調光値選択部１１６Ａは、ステップＳ２０４で読み出したライトマネージャーモードに変化があるか否かを判定し（ステップＳ２０５）、ライトマネージャーモードに変化がある場合は（ステップＳ２０５：Ｙｅｓ）、ライトマネージャーモードが再生モードか否かを判定する（ステップＳ２０６）。
【００４０】
ライトマネージャーモードが再生モードの場合は（ステップＳ２０６：Ｙｅｓ）、照明制御部１１５Ａは、再生モードにより、ステップＳ２０４で読み出したレボルバ位置に応じて設定された調光値に光源部１０７ａを調光する（ステップＳ２０７）。調光値選択部１１６は、レボルバ位置に応じた調光値を所定調光値として設定し、所定調光値記憶部１１６ａに記憶する（ステップ２０８）。
【００４１】
調光値選択部１１６Ａは、防眩制御が有効か否かを判定し（ステップＳ２０９）、有効である場合は（ステップＳ２０９：Ｙｅｓ）、観察が終了したか否かを判定する（ステップＳ２１０）。防眩制御が無効の場合は（ステップＳ２０９：Ｎｏ）、防眩制御を有効に設定する（ステップＳ２１１）。観察が終了していない場合は（ステップＳ２１０：Ｎｏ）、ステップＳ２０４から繰り返し、観察が終了した場合は（ステップＳ２１０：Ｙｅｓ）、光源部１０７ａの制御を終了する。
【００４２】
また、ステップＳ２０５においてライトマネージャーモードに変化がない場合は（ステップＳ２０５：Ｎｏ）、調光値選択部１１６Ａは、レボルバ位置に変化があるか否か判定する（ステップＳ２１２）。レボルバ位置に変化がある場合は（ステップＳ２１２：Ｙｅｓ）、ステップＳ２０６から繰り返す。ステップＳ２０６で再生モードでない場合、すなわち記録モードの場合は（ステップＳ２０６：Ｎｏ）、後述するステップＳ２１４を行う。
【００４３】
ステップＳ２１２でレボルバ位置に変化がない場合は（ステップＳ２１２：Ｎｏ）、調光指示位置１１４ｂに対応する設定調光値に変化があるか否かを判定し（ステップＳ２１３）、変化がある場合は（ステップＳ２１３：Ｙｅｓ）、防眩制御が有効か否かを判定する（ステップＳ２１４）。
【００４４】
防眩制御が有効である場合（ステップＳ２１５：Ｙｅｓ）、設定調光値が所定調光値より大きいか否かを判定する（ステップＳ２１６）。設定調光値が所定調光値より大きい場合（ステップＳ２１５：Ｙｅｓ）、調光値選択部１１６Ａは所定調光値を選択し、照明制御部１１５Ａは所定調光値に光源部１０７ａを調光する（ステップＳ２１６）。
【００４５】
設定調光値が所定調光値以下である場合（ステップＳ２１５：Ｎｏ）、防眩制御を無効に設定し（ステップＳ２１７）、照明制御部１１５Ａは設定調光値に光源部１０７ａを調光する（ステップＳ２１８）。
【００４６】
一方、設定調光値に変化がない場合（ステップＳ２１３：Ｎｏ）、ステップＳ２１０で観察が終了したか否かを判定し、防眩制御が有効でない場合は（ステップＳ２１４：Ｎｏ）、ステップＳ２１８で照明制御部１１５Ａは設定調光値に光源部１０７ａを調光する。
【００４７】
本発明の実施の形態２では、顕微鏡システム１Ａの電源が投入される際に加え、再生モード中に調光ボリューム１１４ａが操作された場合や、切替ボタン１１４ｆが押圧されて再生モードから記録モードに切り替えられる際に、調光値選択部１１６Ａは設定調光値が所定調光値より大きいか判定する。所定調光値は光路Ｌ上に配置された対物レンズ１０５の調光値として設定された調光値を用いるため、光路Ｌ上に配置された対物レンズ１０５の種類に応じて観察者が眩しいと感じない所定調光値に適切に設定することができる。また、実施例１と同様に、調光ボリューム１１４ａの操作により、設定調光値が所定調光値以下と調光値選択部１１６Ａにより判定されると、防眩制御が無効とされ、所定調光値より大きい設定調光値への調光が可能となる。本発明の実施の形態２では、顕微鏡システム１Ａの電源入力の際に加え、再生モード中に調光ボリューム１１４ａが操作された場合、切替ボタン１４ｆが押圧されて再生モードから記録モードに切り替えられた際に、防眩制御を有効としているため、上記した操作の後、観察者の意に反した大きな光量が光源部１０７ａから照射されることがなく、大きな光量の入射による目の疲れを抑制することができる。
【００４８】
（実施の形態３）
実施の形態３の顕微鏡システム１Ｂは、複数の検鏡方法での観察を可能とする。図８は、本発明の実施の形態３に係る顕微鏡システム１Ｂの概略構成を示す模式図である。図９は、本発明の実施の形態３に係るレボルバ１０６Ｂに装着される対物レンズ１０５を示した図である。図１０は、本発明の実施の形態３に係るターレット１１９を説明する図である。図１１は、本発明の実施の形態３に係る検鏡方法と使用する光学素子との関係を説明する図である。図１２は、本発明の実施の形態３に係る光学素子の配置パターンに応じた所定調光値テーブルの一例を示す図である。以下の実施の形態３の説明では、実施の形態１と異なる部分についてのみ説明する。
【００４９】
顕微鏡システム１Ｂは、微分干渉プリズムスライダ１１７と、アナライザスライダ１１８と、ターレット１１９と、ポラライザスライダ１２０と、を備える。
【００５０】
実施の形態３では、図９に示すように、レボルバ１０６Ｂには、レボ穴１に倍率４×の対物レンズ１０５ａ、レボ穴２に倍率１０×の対物レンズ１０５ｂ、レボ穴３に倍率２０×の対物レンズ１０５ｃ、レボ穴４に位相差観察用の対物レンズ１０５ｄがそれぞれ装着されている。
【００５１】
微分干渉プリズムスライダ１１７、アナライザスライダ１１８、およびポラライザスライダ１２０は、スライダを挿脱することにより、微分干渉プリズム、アナライザ、およびポラライザを光路Ｌ上に挿脱する。また、微分干渉プリズムスライダ１１７、アナライザスライダ１１８、およびポラライザスライダ１２０は、各光学素子の挿脱状態を検知する微分干渉プリズム検出部１１７ａ、アナライザ検出部１１８ａ、ポラライザ検出部１２０ａをそれぞれ備えている。微分干渉プリズム検出部１１７ａ、アナライザ検出部１１８ａ、ポラライザ検出部１２０ａは、微分干渉プリズムスライダ１１７、アナライザスライダ１１８、およびポラライザスライダ１２０が挿脱されると、イン／アウト状態を照明制御部１１５Ｂに通知する。
【００５２】
ターレット１１９は図１０に示すように、穴１は空穴１１９ａ、穴２にはリングスリット１１９ｂ、穴３には微分干渉プリズム１１９ｃが配置され、ターレット１１９を回転することにより、空穴１１９ａ、リングスリット１１９ｂ、微分干渉プリズム１１９ｃを光路Ｌ上に配置する。ターレット１１９は、光路Ｌ上に配置されている穴位置を検出するターレット検出部１１９ｄを備えている。ターレット検出部１１９ｄは、ターレット１１９が回転された後、光路Ｌ上に配置される穴位置を照明制御部１１５Ｂに通知する。
【００５３】
顕微鏡システム１Ｂでは、図１１に示すように、明視野観察は、アナライザスライザ１１８、微分干渉プリズムスライダ１１７、およびポラライザスライダ１２０を光路Ｌから引き抜き、ターレット１１９の空穴１１９ａおよびレボルバ１０６Ｂのレボ穴１〜３のいずれかを光路Ｌ上に配置して観察を行う。偏光観察は、アナライザスライザ１１８、およびポラライザスライダ１２０を光路Ｌ上に挿入し、微分干渉プリズムスライダ１１７を光路Ｌから引き抜き、ターレット１１９の空穴１１９ａおよびレボルバ１０６のレボ穴１〜３のいずれかを光路Ｌ上に配置して観察を行う。
【００５４】
また、位相差観察は、アナライザスライザ１１８、微分干渉プリズムスライダ１１７、およびポラライザスライダ１２０を光路Ｌから引き抜き、ターレット１１９のリングスリット１１９ｂおよびレボルバ１０６Ｂのレボ穴４を光路Ｌ上に配置して観察を行う。微分干渉観察は、アナライザスライザ１１８、微分干渉プリズムスライダ１１７およびポラライザスライダ１２０を光路Ｌ上に挿入し、ターレット１１９の微分干渉プリズム１１９ｃおよびレボルバ１０６のレボ穴１〜３のいずれかを光路Ｌ上に配置して観察を行う。
【００５５】
所定調光値記憶部１１６ａは、図１２に示すような光路Ｌ上に配置された光学素子の配置パターンに応じた所定調光値を記憶している。
【００５６】
図１３は、本発明の実施の形態３に係る顕微鏡システム１Ｂにおける光源部１０７ａの制御を説明するフローチャートである。
【００５７】
顕微鏡システム１Ｂの電源が入力されると、実施の形態１と同様に、防眩制御を有効に設定し（ステップＳ３０１）、所定調光値を初期値に設定する（ステップＳ３０２）。所定調光値の初期値は、最も小さい光学素子配置パターン１の所定調光値が採用される。
【００５８】
ついで、アナライザスライダ１１８等の各光学素子配置、および設定調光値を初期値に設定する（ステップＳ３０３）。ステップＳ３０３で設定する各光学素子配置、および設定調光値は、電源投入後の後述するステップＳ３０５、およびステップＳ３１０において、各光学素子配置、および設定調光値が必ず変化するように設定する。
【００５９】
初期設定後、各光学素子配置、および設定調光値を調光値設定部１１４、レボルバ位置検出部１０６ａ、微分干渉プリズム検出部１１７ａ、アナライザ検出部１１８ａ、ターレット検出部１１９ｄおよびポラライザ検出部１２０ａから読み出す（ステップＳ３０４）。
【００６０】
調光値選択部１１６Ｂは、ステップＳ３０４で読み出した光学素子配置に変化があるか否かを判定し（ステップＳ３０５）、光学素子配置に変化がある場合は（ステップＳ３０５：Ｙｅｓ）、所定調光値を各光学素子配置に応じた値に設定する（ステップＳ３０６）。例えば、アナライザスライダ１１８がＯＵＴ、微分干渉プリズムスライダ１１７がＯＵＴ、レボルバ１０６Ｂがレボ穴１、ターレット１１９が穴２、ポラライザスライダ１２０がＯＵＴの場合、図１２に示すように、光学素子配置パターン３となり、所定調光値は１０２３に設定する。
【００６１】
調光値選択部１１６Ｂは、防眩制御が有効か否かを判定し（ステップＳ３０７）、有効である場合は（ステップＳ３０７：Ｙｅｓ）、観察が終了したか否かを判定する（ステップＳ３０８）。防眩制御が無効の場合は（ステップＳ３０７：Ｎｏ）、防眩制御を有効に設定する（ステップＳ３０９）。観察が終了していない場合は（ステップＳ３０８：Ｎｏ）、ステップＳ３０４から繰り返す。
【００６２】
各光学素子配置に変化がない場合は（ステップＳ３０５：Ｎｏ）、設定調光値に変化があるか否かを判定する（ステップＳ３１０）。設定調光値に変化がある場合は（ステップＳ３１０：Ｙｅｓ）、防眩制御が有効か否かを判定する（ステップＳ３１１）。
【００６３】
防眩制御が有効である場合（ステップＳ３１１：Ｙｅｓ）、設定調光値が所定調光値より大きいか否かを判定し（ステップＳ３１２）、設定調光値が所定調光値より大きい場合（ステップＳ３１２：Ｙｅｓ）、調光値選択部１１６Ｂは所定調光値を選択し、照明制御部１１５Ｂは所定調光値に光源部１０７ａを調光する（ステップＳ３１３）。設定調光値が所定調光値以下である場合（ステップＳ３１２：Ｎｏ）、防眩制御を無効に設定し（ステップＳ３１４）、照明制御部１１５Ｂは設定調光値に光源部１０７ａを調光する（ステップＳ３１５）。
【００６４】
一方、設定調光値に変化がない場合（ステップＳ３１０：Ｎｏ）、ステップＳ３０８で観察が終了したか否かを判定し、防眩制御が有効でない場合は（ステップＳ３１１：Ｎｏ）、ステップＳ３１５で照明制御部１１５Ｂは設定調光値に光源部１０７ａを調光する。
【００６５】
本発明の実施の形態３では、顕微鏡システム１Ｂの電源が投入される際に加え、アナライザスライダ１１８、微分干渉プリズムスライダ１１７、レボルバ１０６、ターレット１１９およびポラライザスライダ１２０が操作される際に、調光値選択部１１６Ｂは設定調光値が所定調光値より大きいか判定する。所定調光値は光路Ｌ上に配置された各光学素子の配置パターンに応じて記憶されている調光値を用いるため、検鏡方法に応じて観察者が眩しいと感じない所定調光値に適切に設定することができる。また、実施例１と同様に、調光ボリューム１１４ａの操作により、設定調光値が所定調光値以下と調光値選択部１１６Ｂにより判定されると、防眩制御が無効とされ、所定調光値より大きい設定調光値への調光が可能となる。本発明の実施の形態３では、顕微鏡システム１Ｂの電源入力の際に加え、各光学素子の配置が切り替えられた際に、防眩制御を有効としているため、上記した操作の後、観察者の意に反した大きな光量が光源部１０７ａから照射されることがなく、大きな光量の入射による目の疲れを抑制することができる。
【００６６】
実施の形態３では、切り替え可能な複数の検鏡方法用の光学素子を挿脱する場合の光源部１０７ａの制御について説明したが、複数人が同時観察可能な光路分割素子およびリレー光学系を有する鏡筒が複数接続された顕微鏡システムにおいても、接続された鏡筒数に応じた所定調光値を所定調光値記憶部に記憶させ、光学素子検出部により、光路Ｌ上に配置された鏡筒の数を検出することにより、実施の形態３と同様にして光源部の制御を行うことができる。光路分割素子およびリレー光学系を有する鏡筒が複数接続された顕微鏡システムでは、顕微鏡システムの電源が投入時、および接続する鏡筒数を変更した場合に、調光値選択部は鏡筒の数に応じた所定調光値と、設定調光値とを対比し、設定調光値が所定調光値より大きい場合は、照明制御部は光源部を所定調光値に調光するため、観察者の意に反した大きな光量が光源部から照射されることがなく、大きな光量の入射による目の疲れを抑制することができる。
【００６７】
（実施の形態４）
実施の形態４では、調光値設定部１１４Ｄは、エンコーダを採用する。図１４は、本発明の実施の形態４に係る調光値設定部１１４Ｄを示す図である。図１５は、本発明の実施の形態４に係る顕微鏡システムにおけるＬＥＤ照明部の制御を説明するフローチャートである。以下の実施の形態４の説明では、実施の形態１と異なる部分についてのみ説明する。
【００６８】
実施の形態４では、顕微鏡システム１の電源が入力されると、所定調光値を初期値に設定する（ステップＳ４０１）。ここで、所定調光値の初期値は、所定調光値記憶部１１６ａに記憶される調光値である。
【００６９】
ついで、調光値選択部１１６は、前回終了時の設定調光値を読み出し（ステップＳ４０２）、前回終了時の設定調光値が所定調光値より大きいか否かを判定する（ステップＳ４０３）。前回終了時の調光値が所定調光値より大きい場合（ステップＳ４０３：Ｙｅｓ）、調光値選択部１１６は所定調光値を選択し、照明制御部１１５は所定調光値に光源部１０７ａを調光する（ステップＳ４０４）。前回終了時の調光値が所定調光値以下である場合（ステップＳ４０３：Ｎｏ）、照明制御部１１５は前回終了時の調光値に光源部１０７ａを調光する（ステップＳ４０９）。
【００７０】
調光値選択部１１６は、調光値設定部１１４Ｄにより調光指示がされたか否かを判定し（ステップＳ４０５）、調光指示がされた場合は（ステップＳ４０５：Ｙｅｓ）、調光ボリューム１１４ａの回転量である調光指示量に基づき調光値を算出する（ステップＳ４０６）。調光値設定部１１４Ｄがエンコーダを採用する場合、調光値は、光源部１０７ａの現在値に調光指示量を加算した値となる。
【００７１】
照明制御部１１５は、更新された調光値に光源部１０７ａを調光し（ステップＳ４０７）、観察が終了したか否かを判定する（ステップＳ４０８）。観察が終了していない場合は（ステップＳ４０８：Ｎｏ）、ステップＳ４０５から繰り返す。ステップＳ４０５で調光指示がない場合は（ステップＳ４０５：Ｎｏ）、ステップＳ４０８から繰り返す。
【００７２】
実施の形態４では、調光値設定部１１４Ｄとしてエンコーダを採用するため、電源投入時には、前回終了時の設定調光値に光源部１０７ａを調光するが、前回終了時の設定調光値が所定調光値より大きい場合、照明制御部１１５は光源部１０７ａを所定調光値に調光するため、観察者の意に反した大きな光量が光源部１０７ａから照射されることがなく、大きな光量の入射による目の疲れを抑制することができる。また、調光値設定部１１４Ｄがエンコーダであるため、防眩制御を無効とする操作（調光ボリューム１１４ａを所定調光値以下に回転操作）する必要がない。
【符号の説明】
【００７３】
１、１Ａ、１Ｂ  顕微鏡システム
１０１  フレーム部
１０２  ステージ
１０３  保持台
１０４  回転焦準部
１０５  対物レンズ
１０６  レボルバ
１０７  ランプハウス
１０７ａ  光源部
１０８  ミラー
１０９  コンデンサレンズ
１１０  アーム部
１１１  鏡筒
１１２  接眼レンズ
１１３  双眼部
１１４  調光値設定部
１１４ａ  調光ボリューム
１１４ｂ  調光量指示位置
１１４ｃ  目盛
１１４ｄ  所定調光値
１１５、１１５Ａ、１１５Ｂ  照明制御部
１１６、１１６Ａ、１１６Ｂ  調光値選択部
１１６ａ  所定調光値記憶部
１１７  微分干渉プリズムスライダ
１１８  アナライザスライダ
１１９  ターレット
１２０  ポラライザスライダ
Ｌ  光路
ＳＰ  標本
【図１】
2018197807.tif 000003
【図２】
2018197807.tif 000004
【図３】
2018197807.tif 000005
【図４】
2018197807.tif 000006
【図５】
2018197807.tif 000007
【図６】
2018197807.tif 000008
【図７】
2018197807.tif 000009
【図８】
2018197807.tif 000010
【図９】
2018197807.tif 000011
【図１０】
2018197807.tif 000012
【図１１】
2018197807.tif 000013
【図１２】
2018197807.tif 000014
【図１３】
2018197807.tif 000015
【図１４】
2018197807.tif 000016
【図１５】
2018197807.tif 000017